(57)【要約】  所望信号以外にイメージ信号が存在する場合でも、高周波信号源や符号化器等の設置による消費電力やチップ面積の増加を招くことなくイメージ除去比を測定し、直交ミキサを含むＩ／Ｑミスマッチの較正が可能な低ＩＦ型受信機を提供することを目的とする。信号経路切り替え部１３は、直交ミキサ１１で生成されたＩＦ周波数帯のＩ信号およびＱ信号の、複素フィルタ１４のＩフィルタ１４１やＱフィルタ１４２への信号入力経路の切り替えを順次行う。このとき、信号経路の切り替えごとに信号強度検出部１５で検出されるＩフィルタ１４１の出力信号の信号強度に基づいて演算処理部１６にてイメージ除去比を算出し、算出したイメージ除去比が最大となるように複素フィルタ１４の素子値を素子値制御部１７で調整し、Ｉ／Ｑミスマッチの較正を行う。複素フィルタ１４の素子値を調整する代わりに、直交ミキサ１１の素子値や局部発振器１２の出力位相を調整しても良い。
2011077618.tif 000002
【特許請求の範囲】
【請求項１】
受信した高周波信号から直交関係にある第１および第２の直交復調信号を出力する直交ミキサと、前記直交ミキサから出力される前記第１および第２の直交復調信号のうち、所望の実信号を通過させ、該所望の実信号に対するイメージ信号を抑圧する複素フィルタと、を少なくとも備えた受信機であって、前記直交ミキサから出力される前記第１および第２の直交復調信号を前記複素フィルタへ入力する信号経路を切り替える信号経路切り替え手段を備えていることを特徴とする受信機。
【請求項２】
直交関係にあるあらかじめ定めた周波数の第１および第２のローカル信号を出力する局部発振器をさらに有し、前記直交ミキサは、受信した前記高周波信号を、前記局部発振器から出力される前記第１および第２のローカル信号によってダウンコンバートすることにより、前記第１および第２の直交復調信号として出力し、前記複素フィルタは、第１および第２のフィルタからなり、前記第１および第２のフィルタのいずれも、前記直交ミキサが出力する前記第１および第２の直交復調信号のいずれか一方または双方の信号を入力することができることを特徴とする請求項１に記載の受信機。
【請求項３】
前記信号経路切り替え手段は、前記第１の直交復調信号を入力する第１の入力端子と、前記第２の直交復調信号を入力する第２の入力端子と、前記複素フィルタの前記第１のフィルタへ信号を出力する第１の出力端子と、前記複素フィルタの前記第２のフィルタへ信号を出力する第２の出力端子と、第１ないし第４のスイッチと、を有し、前記第１のスイッチは、前記第１の入力端子と前記第１の出力端子とを接続するか否かを選択し、前記第２のスイッチは、前記第２の入力端子と前記第１の出力端子とを接続するか否かを選択し、前記第３のスイッチは、前記第１の入力端子と前記第２の出力端子とを接続するかを選択し、前記第４のスイッチは、前記第２の入力端子と前記第２の出力端子とを接続するか否かを選択することを特徴とする請求項２に記載の受信機。
【請求項４】
前記複素フィルタの出力信号の信号強度を検出する信号強度検出手段をさらに備え、前記信号強度検出手段は、前記複素フィルタを構成する前記第１および第２のフィルタの少なくとも一方からの出力信号を入力することにより、前記複素フィルタの出力信号の信号強度を検出することを特徴とする請求項３に記載の受信機。
【請求項５】
前記信号強度検出手段において検出された前記信号強度に基づいて、あらかじめ定めた演算を行う演算処理手段をさらに有し、前記演算処理手段は、前記信号強度に基づく演算を終了する都度、信号経路制御信号を出力することにより前記信号経路切り替え手段における前記第１ないし第４のスイッチのオン・オフを切り替えて、前記直交ミキサと前記複素フィルタとの間の信号経路の切り替え制御を行うことを特徴とする請求項４に記載の受信機。
【請求項６】
前記演算処理手段は、第１の動作モードとして、前記信号経路制御信号により前記信号経路切り替え手段における前記第１のスイッチと前記第４のスイッチとをオンし、前記第２のスイッチと前記第３のスイッチとをオフした状態において前記信号強度検出手段にて前記信号強度として検出された第１の信号強度と、第２の動作モードとして、前記信号経路制御信号により前記信号経路切り替え手段における前記第２のスイッチと前記第３のスイッチとをオンし、前記第１のスイッチと前記第４のスイッチとをオフにした状態において前記信号強度検出手段にて前記信号強度として検出された第２の信号強度と、を取得し、取得した前記第１および第２の信号強度に基づいて、前記所望の実信号に対する前記イメージ信号を抑圧するイメージ除去比を算出する、あるいは、第３の動作モードとして、前記信号経路制御信号により前記信号経路切り替え手段における前記第１ないし第４のスイッチすべてをオンした状態において前記信号強度検出手段にて前記信号強度として検出された第３の信号強度を、さらに取得し、取得した前記第１、第２、第３の信号強度に基づいて、前記所望の実信号に対する前記イメージ信号を抑圧するイメージ除去比を算出する、あるいは、第４の動作モードとして、前記信号経路制御信号により前記信号経路切り替え手段における前記第１のスイッチと前記第３のスイッチとをオンまたはオフし、前記第２のスイッチと前記第４のスイッチとをオフまたはオンした状態において前記信号強度検出手段にて前記信号強度として検出された第４の信号強度を、さらに取得し、取得した前記第１、第２、第４の信号強度に基づいて、前記所望の実信号に対する前記イメージ信号を抑圧するイメージ除去比を算出することを特徴とする請求項５に記載の受信機。
【請求項７】
前記複素フィルタを構成する構成素子の素子値を制御する素子値制御手段をさらに備え、前記素子値制御手段は、前記信号強度検出手段にて検出された前記第１、第２の信号強度または前記第１、第２、第３の信号強度または前記第１、第２、第４の信号強度のいずれかに基づいて前記演算処理手段にて算出された前記イメージ信号を抑圧するイメージ除去比が最大になるように、前記複素フィルタまたは前記直交ミキサまたは前記位相調整手段のいずれかを構成する構成素子の素子値を制御することを特徴とする請求項６に記載の受信機。
【請求項８】
前記演算処理手段にて算出された前記イメージ信号を抑圧するイメージ除去比、または、該イメージ除去比が最大になる前記複素ミキサまたは前記直交ミキサまたは前記位相調整手段のいずれかを構成する構成素子の素子値として前記素子値制御手段にて取得された素子値を、補正データとしてメモリに保存し、前記イメージ信号を抑圧するための以降の調整時には、前記メモリに保存されている前記補正データを用いて調整を行うことを特徴とする請求項７に記載の受信機。
【請求項９】
前記複素フィルタを構成する前記第１のフィルタは、前記第１の入力端子から入力される信号電圧を信号電流に変換する第１の電圧電流変換器と、該第１の電圧電流変換器にて変換された前記信号電流を入力する第１のコンデンサと第３の電圧電流変換器と、を備え、前記第２のフィルタは、前記第２の入力端子から入力される信号電圧を信号電流に変換する第２の電圧電流変換器と、該第２の電圧電流変換器にて変換された前記信号電流を入力する第２のコンデンサと第４の電圧電流変換器と、を備え、前記第３の電圧電流変換器からの出力側は、前記第２の電圧電流変換器の出力側と接続されるとともに、前記第２の出力端子に接続され、前記第４の電圧電流変換器からの出力側は、前記第１の電圧電流変換器の出力側と接続されるとともに、前記第１の出力端子に接続されることを特徴とする請求項３ないし請求項８のいずれかに記載の受信機。
【請求項１０】
受信した高周波信号から直交関係にある第１および第２の直交復調信号を出力する直交ミキサと、前記直交ミキサから出力される前記第１および第２の直交復調信号のうち、所望の実信号を通過させ、該所望の実信号に対するイメージ信号を抑圧する複素フィルタと、前記直交ミキサから出力される前記第１および第２の直交復調信号を前記複素フィルタへ入力する信号経路を切り替える信号経路切り替え手段と、を少なくとも備えた受信機におけるイメージ除去比測定方法であって、前記イメージ信号を抑圧する最適のイメージ除去比を算出する際に、前記信号経路切り替え手段により、前記直交ミキサと前記複素フィルタとの間の信号経路を適宜切り替えて、それぞれの信号経路において前記複素フィルタから出力される信号強度を検出することにより、前記イメージ信号を抑圧するイメージ除去比を算出することを特徴とするイメージ除去比測定方法。
【発明の詳細な説明】
【技術分野】
【０００１】
本発明は、受信機およびイメージ除去比測定方法に関し、特に、イメージ除去比を測定した測定結果を用いる受信機およびイメージ除去比測定方法に関する。
【背景技術】
【０００２】
一般に、低ＩＦ（Low  Intermediate  Frequency：低中間周波数）型の無線信号システムにおいては、受信信号の中に、原理的に、所望の実信号だけでなく、実信号とは異符号の周波数成分のイメージ信号が非所望成分として含まれている。そのため、所望の実信号を通過させ、イメージ信号を減衰させる機能を有する複素フィルタが無線信号システムの受信機として一般に用いられる。該複素フィルタにおいては、実信号の周波数帯域の利得が、イメージ信号の周波数帯域の利得に比べて高いのが望ましく、かくのごとき実信号とイメージ信号との利得の比をイメージ除去比(ＩＲＲ:Image  Rejection  Ratio)と称している。つまり、複素フィルタには、イメージ除去比を高く保つことが要求される。【０００３】
図１９は、低ＩＦ型の無線通信システムにおける受信機の一般的な装置構成を本発明に係る関連技術として示す構成図である。図１９に示す受信機において、低ノイズ増幅器（ＬＮＡ：Low  Noise  Amplifier）１は、アンテナにて受信した、変調された高周波受信信号を増幅する。直交ミキサ２５は、Ｉミキサ２５１、Ｑミキサ２５２により構成され、位相が互いに９０度ずれた局部発振器（ＬＯ：Local  Oscillator）２６からの２つのローカル信号ＬＯ＿Ｉ，ＬＯ＿Ｑのそれぞれと、低ノイズ増幅器１によって増幅された高周波受信信号との乗算を行う。これにより、高周波受信信号を中間周波数（ＩＦ：Intermediate  Frequency）にダウンコンバートしつつ、直交復調が行われ、位相が互いに９０度ずれた２つの直交復調信号ＩＦ＿Ｉ，ＩＦ＿Ｑが生成される。【０００４】
複素フィルタ２７は、直交ミキサ２５から出力される２つの直交復調信号ＩＦ＿Ｉ，ＩＦ＿Ｑを入力とし、イメージ信号の除去を行い、Ｉ側の出力信号のみを次段の可変利得増幅器（ＶＧＡ：Variable  Gain  Amplifier）２に出力する。可変利得増幅器２は、複素フィルタ２７から入力された信号を適正な振幅に増幅して、次段の符号化器（ＡＤＣ：Analog‐to‐Digital  Converter）３に出力する。符号化器３は、入力されたアナログ信号をデジタル信号に変換して、デジタル信号処理部４に対して出力し、これ以降、デジタル領域で種々の信号処理が行われる。【０００５】
特に、直交変調を行わないような比較的低データレートの無線通信システムにおいては、図１９に示した受信機のように、複素フィルタ２７のＩフィルタ２７１、Ｑフィルタ２７２それぞれが出力するＩ側、Ｑ側の出力信号のうち、Ｉ側の出力信号のみを用いて信号処理が行われ、Ｑ側の出力信号を扱う可変利得増幅器および符号化器を省略することにより、低消費電力化を図るような構成が採用されている。【０００６】
ここで、複素フィルタ２７において、十分なイメージ除去比を確保するためには、入力される２つの直交復調信号ＩＦ＿Ｉ，ＩＦ＿Ｑの振幅が互いに等しく、位相差が９０度であることが必要である。しかし、局部発振器２６や直交ミキサ２５および複素フィルタ２７における、素子や配線のミスマッチ等が原因となって、２つの直交復調信号ＩＦ＿Ｉ，ＩＦ＿Ｑの関係を、理想的な状態に保つことは現実的に不可能である。【０００７】
この影響は、図２０の特性図に示すように、イメージ周波数帯域で顕著に現れ、２つの直交復調信号ＩＦ＿Ｉ，ＩＦ＿Ｑの関係に僅かなミスマッチすなわちＩ／Ｑミスマッチがあっても、イメージ除去比(ＩＲＲ)を大幅に劣化させる。図２０は、図１９に示す一般的な複素フィルタ２７における周波数特性を示す特性図であり、図２０（Ａ）が、２つの直交復調信号ＩＦ＿Ｉ，ＩＦ＿Ｑが理想的な関係にある場合に複素フィルタ２７から出力される出力信号の周波数特性を示し、図２０（Ｂ）が、２つの直交復調信号ＩＦ＿Ｉ，ＩＦ＿Ｑの関係にＩ／Ｑミスマッチがある場合に複素フォルタ２７から出力される出力信号の周波数特性を示している。【０００８】
図２０（Ｂ）に示すように、実信号周波数ｆＩＦにおける実信号の利得ＱｆＩＦとイメージ信号周波数におけるイメージ信号の利得Ｑ−ｆＩＦとの比であるイメージ除去比（ＩＲＲ）は、２つの直交復調信号ＩＦ＿Ｉ，ＩＦ＿Ｑの関係に僅かなＩ／Ｑミスマッチであっても、大きく劣化してしまう。【０００９】
図１９に示したような受信機の構成においては、複素フィルタ２７におけるＩフィルタ２７１、可変利得増幅器２および符号化器３のそれぞれの出力について、実信号周波数成分とイメージ信号周波数成分とが、周波数軸上で重なった信号として現れてしまい、区別することができないため、イメージ除去比が劣化した場合、ビットエラーレートの低下などの受信機の受信特性の劣化を招く。【００１０】
これに対して、Ｉ／Ｑミスマッチを低減してイメージ除去比を高めるための従来の関連技術として、図２１に示す特許文献１の特開２００６−１５７８６６号公報「複素フィルタ回路および受信回路」や、図２２に示す特許文献２の特開２００７−１０４５２２号公報「受信機」や、図２３に示す特許文献３のＷＯ２００７／０５２７１７号公報「イメージ抑圧受信機」に記載された技術がある。図２１は、本発明に係る関連技術として前記特許文献１に記載の受信機の装置構成を示す構成図であり、図２２は、本発明に係る関連技術として前記特許文献２に記載の受信機の装置構成を示す構成図であり、図２３は、本発明に係る関連技術として前記特許文献３に記載の受信機の装置構成を示す構成図である。【００１１】
前記特許文献１に記載の受信機は、図２１に示すように、低ノイズ増幅器３１、直交ミキサ３２、可変利得増幅器３３ａ，３３ｂ、複素フィルタ３４、振幅検出部３５、フィルタ制御部３６、模擬イメージ信号生成部３７、信号切り替え部３８を含んで構成されている。【００１２】
図２１の受信機においては、模擬イメージ信号生成部３７にてＩＦ帯の模擬イメージ信号を生成し、信号切り替え部３８により信号経路を切り替えて、生成した模擬イメージ信号を、複素フィルタ３４に入力することにより、複素フィルタ３４から出力される模擬イメージ信号の振幅（電力）を振幅検出部３５にて検出する。フィルタ制御部３６は、振幅検出部３５にて検出される模擬イメージ信号の振幅が最小になるように、複素フィルタ３４の素子値制御部３４２を制御する。この結果、複素フィルタ３４におけるＩフィルタ３４１ａ、Ｑフィルタ３４１ｂのパラメータ（素子値）が調整されて、Ｉ／Ｑミスマッチが補償される。【００１３】
また、前記特許文献２に記載の受信機は、図２２に示すように、直交ミキサ４１、スイッチ４１ａ、可変利得増幅器４２ａ，４２ｂ、符号化器４３ａ，４３ｂ、フィルタミスマッチ校正回路４４、イメージ除去回路４５、校正制御回路４６、校正信号源４７、フィルタミスマッチ検出回路４８、タップ計数算出回路４９を含んで構成されている。【００１４】
図２２の受信機においては、アンテナからの信号を受信する前に、校正制御回路４６の制御により、校正信号源４７からのＲＦ帯の周波数（ｆ１，ｆ２，ｆ３，…）の模擬信号をスイッチ４１ａを介して直交ミキサ４１に入力し、符号化器４３ａ，４３ｂにて符号化後のＩ成分、Ｑ成分をフィルタミスマッチ検出回路４８にて監視して、復調後のＩＦ帯の中間周波数信号（直交復調信号）におけるＩ成分、Ｑ成分の振幅と位相のミスマッチをゼロにするように、タップ計数算出回路４９からのタップ値を較正してフィルタミスマッチ校正回路４４に入力することによって、イメージ除去比を高めるようにしている。【００１５】
また、前記特許文献３に記載の受信機は、図２３に示すように、低ノイズ増幅器５１、乗算器５２ａ，５２ｂ、フェーズロックド発振器５３、ローパスフィルタ５４ａ，５４ｂ、経路切り替え回路５５、位相調整回路５６、イメージ抑圧回路５７ａ，５７ｂ、符号化器５８ａ，５８ｂ、デジタル信号処理回路５９を含んで構成されている。【００１６】
図２３の受信機においては、２つのイメージ抑圧回路５７ａ，５７ｂを備え、一方のイメージ抑圧回路５７ａでは、Ｉ信号とＱ信号とを入れ替えて、希望波の入力信号でありながらイメージ信号と認識させて、信号を抑圧し、他方のイメージ抑圧回路５７ｂでは、Ｉ信号とＱ信号とを入れ替えることなく、そのまま入力させて、希望波と認識させて、損失することなく通過させ、イメージ抑圧回路５７ａ，５７ｂそれぞれから出力される信号強度の差が最大になるように、位相調整回路５６によって、Ｉ信号とＱ信号との位相または振幅を調整することによって、イメージ除去比を向上させるようにしている。
【先行技術文献】
【特許文献】
【００１７】
【特許文献１】特開２００６−１５７８６６号公報（第９−１３頁、図１）
【特許文献２】特開２００７−１０４５２２号公報（第８−１２頁、図１）
【特許文献３】国際公開第２００７／０５２７１７号（第９−１１頁、図１）
【発明の概要】
【発明が解決しようとする課題】
【００１８】
しかしながら、前記特許文献１に開示された方法の場合、イメージ除去比を算出するために、複素フィルタ３４のＱ側出力についても、振幅検出を必要とするため、消費電力やチップ面積が増大してしまう。また、原理的に、直交ミキサ３２にて発生したＩ／Ｑミスマッチには対応することができない。直交ミキサ３２にて発生するＩ／Ｑミスマッチをも含めて補償する仕組みとしない限り、十分に高いイメージ除去比を得ることは困難である。【００１９】
また、前記特許文献２に開示された方法の場合は、直交ミキサ４１におけるＩ／Ｑミスマッチも含めた較正を行うことは可能であるものの、校正信号源４７のように、高周波の模擬信号を生成するための高周波信号源が必要になる。このことは、受信機のチップ面積を増大させ、さらには、受信機のコストが高くなることを意味している。また、前記特許文献２に開示された方法においては、直交ミキサ４１のＱ側の出力以降に可変利得増幅器４２ｂおよび符号化器４３ｂが必要となるため、その分の消費電力およびチップ面積が増大してしまう。【００２０】
また、前記特許文献３に開示された方法の場合は、乗算器５２ａ，５２ｂからなる直交ミキサにおけるＩ／Ｑミスマッチをも含めた較正を行うことが可能であり、調整完了後には、経路切り替え回路５５を介さない側のイメージ抑圧回路５７ｂおよびその後段の符号化器５８ｂの動作を停止することができるため、低消費電力化が可能である。しかしながら、前記特許文献３に記載の受信機構成では、調整時において、所望信号だけでなくイメージ信号も存在するような場合には、Ｉ信号とＱ信号とを入れ替えて入力する側のイメージ抑圧回路５７ａからは、イメージ信号が抑圧されずに出力されてしまうため、イメージ除去比の調整を行うことができない。さらに、素子バラつきなどに起因して、イメージ抑圧回路５７ａ，５７ｂ同士にミスマッチが発生した場合には対応できないのに加えて、調整完了後には動作が停止されるイメージ抑圧回路５７ｂおよびその後段の符号化器５８ｂの分だけ、チップ面積が増大してしまう。【００２１】
（本発明の目的）
本発明は、かかる事情に鑑みてなされたものであり、低ＩＦ型の受信機において、所望信号に加えてイメージ信号が存在するような場合であっても、余分な高周波信号源や符号化器等による消費電力の増加およびチップ面積の増加を招くことなく、イメージ除去比を測定することを可能とし、さらに、イメージ除去比の測定結果を用いて、直交ミキサを含むＩ／Ｑミスマッチの較正を行うことを可能とすることにより、高いイメージ除去比を有する受信機およびイメージ除去比測定方法を提供することを、その目的としている。
【課題を解決するための手段】
【００２２】
前述の課題を解決するため、本発明による受信機は、次のような特徴的な構成を採用している。【００２３】
（１）受信した高周波信号から直交関係にある第１および第２の直交復調信号を出力する直交ミキサと、前記直交ミキサから出力される前記第１および第２の直交復調信号のうち、所望の実信号を通過させ、該所望の実信号に対するイメージ信号を抑圧する複素フィルタと、を少なくとも備えた受信機であって、前記直交ミキサから出力される前記第１および第２の直交復調信号を前記複素フィルタへ入力する信号経路を切り替える信号経路切り替え部を備えている受信機。
【発明の効果】
【００２４】
本発明の受信機およびイメージ除去比測定方法によれば、以下のような効果を奏することができる。【００２５】
本発明においては、所望信号に加えてイメージ信号が存在するような場合であっても、模擬イメージ信号生成用の高周波信号源やＱ信号用の符号化器等による消費電力の増加やチップ面積の増加を招くことなく、イメージ除去比の測定が可能となり、イメージ除去比の測定結果に基づき、直交ミキサをも含めたＩ／Ｑミスマッチの較正を行うことを可能としているので、高いイメージ除去比を有する低ＩＦ型の受信機を実現することができる。
【図面の簡単な説明】
【００２６】
【図１】本発明に係る受信機の第１の実施形態の装置構成を示す構成図である。
【図２】図１の受信機における信号経路切り替え部のスイッチ構成の一例を示す構成図である。
【図３】図１の受信機における複素フィルタの装置構成の一例を示す構成図である。
【図４】図１の受信機の動作モード１における信号経路切り替え部の接続状態を説明する説明図である。
【図５】図１の受信機の動作モード１における複素フィルタの周波数特性を示す特性図である。
【図６】図１の受信機の動作モード１において信号強度検出部にて検出される信号強度を説明するための説明図である。
【図７】図１の受信機の動作モード２における信号経路切り替え部の接続状態を説明する説明図である。
【図８】図１の受信機の動作モード２における複素フィルタの周波数特性を示す特性図である。
【図９】図１の受信機の動作モード２において信号強度検出部にて検出される信号強度を説明するための説明図である。
【図１０】図１の受信機の動作モード３における信号経路切り替え部の接続状態を説明する説明図である。
【図１１】図１の受信機の動作モード３における複素フィルタの周波数特性を示す特性図である。
【図１２】図１の受信機の動作モード３において信号強度検出部にて検出される信号強度を説明するための説明図である。
【図１３】本発明に係る受信機の第２の実施形態の装置構成を示す構成図である。
【図１４】本発明に係る受信機の第３の実施形態の装置構成を示す構成図である。
【図１５】図１の受信機の動作モード４における信号経路切り替え部の接続状態を第４の実施形態として説明する説明図である。
【図１６】図１の受信機の動作モード４における複素フィルタの周波数特性を示す特性図である。
【図１７】図１の受信機の動作モード４において信号強度検出部にて検出される信号強度を説明するための説明図である。
【図１８】本発明に係る受信機の第５の実施形態の装置構成を示す構成図である。
【図１９】低ＩＦ型の無線通信システムにおける受信機の一般的な装置構成を本発明に係る関連技術として示す構成図である。
【図２０】図１９に示す一般的な複素フィルタにおける周波数特性を示す特性図である。
【図２１】本発明に係る関連技術として前記特許文献１に記載の受信機の装置構成を示す構成図である。
【図２２】本発明に係る関連技術として前記特許文献２に記載の受信機の装置構成を示す構成図である。
【図２３】本発明に係る関連技術として前記特許文献３に記載の受信機の装置構成を示す構成図である。
【発明を実施するための形態】
【００２７】
以下、本発明による受信機およびイメージ除去比測定方法の好適な実施形態について添付図を参照して説明する。
【００２８】
（本発明の特徴）
本発明の実施形態の説明に先立って、本発明の特徴についてその概要をまず説明する。本発明は、受信信号のデータレートが比較的低い低ＩＦ（Low  Intermediate  Frequency：低中間周波数）型の受信機およびイメージ除去比測定方法に関するものであり、本発明に係る低ＩＦ型の受信機は、直交ミキサと、信号経路切り替え部と、複素フィルタと、信号強度検出部と、演算処理部と、素子値制御部と、を少なくとも含んで構成されている。つまり、直交ミキサと複素フィルタとの間の信号経路を随時切り替えることができる信号経路切り替え部を配置する構成としていることに、その特徴がある。
【００２９】
つまり、本発明に係る低ＩＦ型の受信機のＩ／Ｑミスマッチを較正する較正モードにおいては、前記信号経路切り替え部は、前記直交ミキサにて生成されたＩＦ周波数帯のＩ信号およびＱ信号の、前記複素フィルタのＩフィルタおよびＱフィルタへの信号入力経路を順次切り替える。このとき、前記信号経路切り替え部にて信号入力経路の切り替えを行うごとに、前記信号強度検出部にて、前記複素フィルタのＩフィルタからの出力信号の信号強度の検出を行う。さらに、信号入力経路の切り替えごとに検出された各信号強度を用いて前記演算処理部にて演算処理を行うことによって受信機のイメージ除去比（ＩＲＲ）を算出する。しかる後、算出されたイメージ除去比（ＩＲＲ）が最大となるように、前記素子値制御部により、前記複素フィルタまたは前記直交ミキサまたは局部発振器の位相調整部のいずれかを構成する構成素子の素子値を制御することによって、前記複素フィルタまたは前記直交ミキサまたはローカル信号を出力する局部発振器の特性調整を実施する。かかる動作を繰り返すことによって、イメージ除去比（ＩＲＲ）を最大にするように、Ｉ／Ｑミスマッチの較正を行い、受信機全体のイメージ除去比を向上させることを可能としている。
【００３０】
次に、本発明の各実施の形態について図面を参照しながら詳細に説明する。なお、以下で説明する各実施の形態におけるすべての図面について、同一の構成要素に対しては同一の符号を付加し、適宜、該構成要素に関する説明を省略する。
【００３１】
（第１の実施形態）
まず、本発明に係る受信機の第１の実施形態の装置構成について、図１を用いて説明する。図１は、本発明に係る受信機の第１の実施形態の装置構成を示す構成図であり、低ＩＦ型の受信機の装置構成を示している。
【００３２】
図１に示す低ＩＦ受信機は、受信部１０１の他に、低ノイズ増幅器（ＬＮＡ：Low  Noise  Amplifier）１と、可変利得増幅器（ＶＧＡ：Variable  Gain  Amplifier）２と、符号化器（ＡＤＣ：Analog‐to‐Digital  Converter）３と、デジタル信号処理部４と、を少なくとも備えている。ここで、受信部１０１は、直交ミキサ１１と、局部発振器（ＬＯ：Local  Oscillator）１２と、信号経路切り替え部１３と、複素フィルタ１４と、信号強度検出部１５と、演算処理部１６と、素子値制御部１７と、を少なくとも含んで構成されている。
【００３３】
受信部１０１において、直交ミキサ１１は、Ｉミキサ１１１とＱミキサ１１２とからなり、ＲＦ帯の高周波信号を、局部発振器１２にて位相が互いに９０度ずれて生成される２つのローカル信号ＬＯ＿Ｉ、ＬＯ＿ＱによってＩＦ帯（中間周波数）に周波数変換して、ＩＦ帯の位相が互いに９０度ずれた直交復調信号ＩＦ＿Ｉ信号および直交復調信号ＩＦ＿Ｑ信号を生成する。
【００３４】
信号経路切り替え部１３は、演算処理部１６からの信号経路制御信号により制御される。図２は、図１の受信機における信号経路切り替え部１３のスイッチ構成の一例を示す構成図である。図２に示す信号経路切り替え部１３において、スイッチ１３１は、演算処理部１６からの信号経路制御信号に応じて、直交ミキサ１１のＩミキサ１１１から出力される直交復調信号ＩＦ＿Ｉ信号を、複素フィルタ１４のＩフィルタ１４１へ入力する入力端子に接続するか否かを選択する。スイッチ１３２は、演算処理部１６からの信号経路制御信号に応じて、直交ミキサ１１のＱミキサ１１２から出力される直交復調信号ＩＦ＿Ｑ信号を、複素フィルタ１４のＩフィルタ１４１へ入力する入力端子に接続するか否かを選択する。
【００３５】
また、スイッチ１３３は、演算処理部１６からの信号経路制御信号に応じて、直交ミキサ１１のＩミキサ１１１から出力される直交復調信号ＩＦ＿Ｉ信号を、複素フィルタ１４のＱフィルタ１４２へ入力する入力端子に接続するか否かを選択する。スイッチ１３４は、演算処理部１６からの信号経路制御信号に応じて、直交ミキサ１１のＱミキサ１１２から出力される直交復調信号ＩＦ＿Ｑ信号を、複素フィルタ１４のＱフィルタ１４２へ入力する入力端子に接続するか否かを選択する。
【００３６】
受信部１０１において、複素フィルタ１４は、Ｉフィルタ１４１およびＱフィルタ１４２により構成されており、所望の実信号を通過させ、イメージ信号の除去割合としてあらかじめ設定されているイメージ除去比（ＩＲＲ）だけイメージ信号を減衰させて、Ｉフィルタ１４１の出力信号を、受信部１０１の後段に位置する可変利得増幅器２に出力するとともに、受信部１０１内の信号強度検出部１５に出力する。図３は、図１の受信機における複素フィルタ１４の装置構成の一例を示す構成図である。図３に示す複素フィルタ１４において、Ｉフィルタ１４１は、電圧電流変換器１４３ａ，１４４ａと、コンデンサ１４５ａとから構成され、Ｑフィルタ１４２も、同様に、電圧電流変換器１４３ｂ，１４４ｂと、コンデンサ１４５ｂとから構成される。
【００３７】
このとき、図３に示す複素フィルタ１４の通過帯域幅は、電圧電流変換器１４３ａおよび電圧電流変換器１４３ｂの電圧電流変換利得と、コンデンサ１４５ａおよびコンデンサ１４５ｂの容量との比によって決定される。また、複素フィルタ１４の中心周波数は、電圧電流変換器１４４ａおよび電圧電流変換器１４４ｂの電圧電流変換利得と、コンデンサ１４５ａおよび１４５ｂの容量との比によって決定される。
【００３８】
なお、複素フィルタ１４の構成は、図３の場合に限るものではなく、例えば、図３に示すようなIフィルタ１４１およびＱフィルタ１４２が多段に接続されたものであってもよい。また、抵抗素子とコンデンサを用いてＩフィルタおよびＱフィルタを構成してもよい。さらにまた、演算増幅器と、抵抗素子と、コンデンサを用いてＩフィルタおよびＱフィルタを構成してもよい。ただし、如何なる場合においても、本発明にかかる複素フィルタ１４は、Ｉフィルタ１４１およびＱフィルタ１４２それぞれは、コンデンサ（図３に示す本実施形態においてはコンデンサ１４５ａおよびコンデンサ１４５ｂ）を備え、かつ、Ｉフィルタ１４１とＱフィルタ１４２との間には、お互いを接続する電圧電流変換器、または抵抗素子のペア（図３に示す本実施形態においては電圧電流変換器１４４ａおよび電圧電流変換器１４４ｂ）を備えているものとする。
【００３９】
受信部１０１において、信号強度検出部１５は、複素フィルタ１４におけるＩフィルタ１４１の出力側における出力信号の信号強度を検出し、検出された信号強度情報は演算処理部１６に送られる。
【００４０】
演算処理部１６は、信号経路制御信号を出力することにより信号経路切り替え部１３における直交ミキサ１１と複素フィルタ１４の間の信号経路の切り替え制御を行うとともに、該信号経路を切り替える都度信号強度検出部１５によって検出される各信号強度情報から、低ＩＦ受信機の受信部１０１におけるイメージ除去比（ＩＲＲ）の演算を行い、該演算結果を、素子値制御部１７に出力する。
【００４１】
素子値制御部１７は、演算処理部１６で得られたイメージ除去比（ＩＲＲ）の演算結果を用いて、イメージ除去比（ＩＲＲ）が最大となるように、素子値制御信号を生成して、複素フィルタ１４に送信することにより、複素フィルタ１４の構成素子（電圧電流変換器１４３ａ，１４３ｂや電圧電流変換器１４４ａ，１４４ｂ）の素子値を制御する。
【００４２】
（第１の実施形態における受信機の動作の説明）
次に、図１に示す低ＩＦ受信機の受信部１０１の動作についてさらに詳細に説明する。
【００４３】
図１に示す低ＩＦ受信機において、所望信号およびイメージ信号を含んで入力されてくる高周波信号ＲＦは、低ノイズ増幅器（ＬＮＡ）１で増幅された後、受信部１０１に入力され、直交ミキサ１１において、中間周波数（ＩＦ）帯の位相が互いに９０度ずれた２つの直交復調信号ＩＦ＿Ｉおよび直交復調信号ＩＦ＿Ｑに周波数変換されて、信号経路切り替え部１３に出力される。
【００４４】
信号経路切り替え部１３においては、まず、図４に示すように、スイッチ１３２およびスイッチ１３３をオフ状態にするとともに、スイッチ１３１およびスイッチ１３４を接続状態とし、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路を選択する（以下、動作モード１と称する）。なお、図４は、図１の受信機の動作モード１における信号経路切り替え部１３の接続状態を説明する説明図である。
【００４５】
前述のような動作モード１の場合において、直交ミキサ１１の出力における所望信号およびイメージ信号の信号強度をそれぞれＰ＿ＳＩＧおよびＰ＿ＩＭとすると、複素フィルタ１４の出力としては、図５に示すように、所望信号はそのまま信号強度Ｐ＿ＳＩＧとして出力されるのに対し、イメージ信号は複素フィルタ１４のイメージ除去比（ＩＲＲ）の分だけ減衰されて信号強度Ｐ＿ＩＭａとして出力される。ここに、図５は、図１の受信機の動作モード１における複素フィルタ１４の周波数特性を示す特性図であり、複素フィルタ１４から出力される出力信号の信号強度とともに示している。
【００４６】
つまり、複素フィルタ１４のＩフィルタ１４１から出力される出力信号においては、図６に示すように、所望信号の信号強度Ｐ＿ＳＩＧと抑圧されたイメージ信号の信号強度Ｐ＿ＩＭａとが、同一の周波数信号として足し合わされた信号強度Ｐ１として出力されることになり、動作モード１において、信号強度検出部１５にて検出される信号強度Ｐ１は、次の式（１）のように表される。図６は、図１の受信機の動作モード１において信号強度検出部１５にて検出される信号強度を説明するための説明図である。
【００４７】
Ｐ１＝Ｐ＿ＳＩＧ＋Ｐ＿ＩＭａ
＝Ｐ＿ＳＩＧ＋Ｐ＿ＩＭ／ＩＲＲ            …式（１）
【００４８】
次に、信号経路切り替え部１３において、図７に示すように、図４の動作モード１の場合とは逆に、スイッチ１３１およびスイッチ１３４をオフ状態にするとともに、スイッチ１３２およびスイッチ１３３を接続状態とし、直交ミキサ１１におけるＩミキサ１１１の出力である直交復調信号ＩＦ＿Ｉを、複素フィルタ１４におけるＱフィルタ１４２に入力し、直交ミキサ１１におけるＱミキサ１１２の出力である直交復調信号ＩＦ＿Ｑを、複素フィルタ１４におけるＩフィルタ１４１に入力するように、信号経路を選択する（以下、動作モード２と称する）。なお、図７は、図１の受信機の動作モード２における信号経路切り替え部１３の接続状態を説明する説明図である。
【００４９】
前述のような動作モード２の場合においては、直交ミキサ１１の出力における所望信号およびイメージ信号の信号強度をそれぞれＰ＿ＳＩＧおよびＰ＿ＩＭとすると、複素フィルタ１４の周波数特性は、図８に示すように、図５に示す動作モード１の場合の周波数特性を、ＤＣ（直流分の'０'）を中心にして正負対称な位置に反転させた特性となり、複素フィルタ１４の出力としては、イメージ信号はそのまま信号強度Ｐ＿ＩＭとして出力されるのに対し、所望信号は複素フィルタ１４のイメージ除去比（ＩＲＲ）の分だけ減衰されて信号強度Ｐ＿ＳＩＧａとして出力される。ここに、図８は、図１の受信機の動作モード２における複素フィルタ１４の周波数特性を示す特性図であり、複素フィルタ１４から出力される出力信号の信号強度とともに示している。
【００５０】
つまり、複素フィルタ１４のＩフィルタ１４１から出力される出力信号においては、図９に示すように、抑圧された所望信号の信号強度Ｐ＿ＳＩＧａとイメージ信号の信号強度Ｐ＿ＩＭとが、同一の周波数信号として足し合わされた信号強度Ｐ２として出力されることになり、動作モード２において、信号強度検出部１５にて検出される信号強度Ｐ２は、次の式（２）のように表される。図９は、図１の受信機の動作モード２において信号強度検出部１５にて検出される信号強度を説明するための説明図である。
【００５１】
Ｐ２＝Ｐ＿ＳＩＧａ＋Ｐ＿ＩＭ
＝Ｐ＿ＳＩＧ／ＩＲＲ＋Ｐ＿ＩＭ            …式（２）
【００５２】
さらに、次に、信号経路切り替え部１３において、図１０に示すように、スイッチ１３１、スイッチ１３２、スイッチ１３３およびスイッチ１３４のすべてを接続状態とし、直交ミキサ１１におけるＩミキサ１１１の出力である直交復調信号ＩＦ＿ＩおよびＱミキサ１１２の出力である直交復調信号ＩＦ＿Ｑを、ともに、複素フィルタ１４におけるＩフィルタ１４１およびＱフィルタ１４２の両方に入力するように、信号経路を選択する（以下、動作モード３と称する）。なお、図１０は、図１の受信機の動作モード３における信号経路切り替え部１３の接続状態を説明する説明図である。
【００５３】
前述のような動作モード３の場合においては、直交ミキサ１１の出力における所望信号およびイメージ信号の信号強度をそれぞれＰ＿ＳＩＧおよびＰ＿ＩＭとすると、所望信号およびイメージ信号に対する複素フィルタ１４の周波数特性は、図１１に示すように、図５に示す動作モード１の場合の正側の周波数特性を、ＤＣ（直流分の'０'）を中心にして対称な負側の位置にも反転させた特性となり、複素フィルタ１４の出力としては、所望信号およびイメージ信号のいずれも減衰されることなく、それぞれ、信号強度Ｐ＿ＳＩＧおよびＰ＿ＩＭとしてそのまま出力される。ここに、図１１は、図１の受信機の動作モード３における複素フィルタ１４の周波数特性を示す特性図であり、複素フィルタ１４から出力される出力信号の信号強度とともに示している。
【００５４】
つまり、複素フィルタ１４のＩフィルタ１４１から出力される出力信号においては、図１２に示すように、所望信号の信号強度Ｐ＿ＳＩＧとイメージ信号の信号強度Ｐ＿ＩＭとが、同一の周波数信号として足し合わされた信号強度Ｐ３として出力されることになり、動作モード３において、信号強度検出部１５にて検出される信号強度Ｐ３は、次の式（３）のように表される。図１２は、図１の受信機の動作モード３において信号強度検出部１５にて検出される信号強度を説明するための説明図である。
【００５５】
Ｐ３＝Ｐ＿ＳＩＧ＋Ｐ＿ＩＭ                  …式（３）
【００５６】
以上のように、図１の受信機の動作モード１から動作モード３までの３つの動作モードについて、信号経路切り替え部１３にて複素フィルタ１４への入力信号を切り替える都度、信号強度検出部１５にて、複素フィルタ１４から出力される出力信号の信号強度Ｐ１，Ｐ２，Ｐ３を検出することにより、演算処理部１６において、次の式（４）のように、イメージ除去比（ＩＲＲ）を算出することができる。
【００５７】
１／ＩＲＲ＝（Ｐ１＋Ｐ２−Ｐ３）／Ｐ３          …式（４）
【００５８】
演算処理部１６にて算出されたイメージ除去比（ＩＲＲ）は、素子値制御部１７に出力され、素子値制御部１７においては、イメージ除去比（ＩＲＲ）が最大となるように、素子値制御信号を生成して、複素フィルタ１４に送信することにより、複素フィルタ１４を構成する構成素子の素子値を制御する。
【００５９】
さらに、信号経路切り替え部１３における信号経路の切り替えを繰り返すことにより、すなわち、受信機の動作モード１から動作モード３までの切り替え動作を繰り返すことにより、演算処理部１６において算出された式（４）の左辺の値が小さくなる、すなわち、イメージ除去比（ＩＲＲ）が大きくなるように、複素フィルタ１４の素子値を調整する。
【００６０】
複素フィルタ１４の素子値の調整を完了すると、信号経路切り替え部１３は、図４に示した動作モード１の状態、すなわち、信号経路切り替え部１３におけるスイッチ１３２およびスイッチ１３３をオフ状態にするとともに、スイッチ１３１およびスイッチ１３４を接続状態に設定して、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路切り替え部１３における信号経路を選択し、通常の信号の受信動作を行う。
【００６１】
このとき、複素フィルタ１４は、前述したような素子値の調整が完了しているので、直交ミキサ１１および複素フィルタ１４におけるＩ／Ｑミスマッチを補償した状態になっており、結果として、高いイメージ除去比（ＩＲＲ）を有する低ＩＦ受信機として動作することができる。
【００６２】
なお、前述したようなＩ／Ｑミスマッチを補償するための調整は、例えば、受信機の起動時に１回だけ行い、そのときに得られた補正データを演算処理部１６に設けたメモリに保存しておき、２回目以降は該メモリに保存している補正データを使用することにより、２回目以降の調整を省略することができる。
【００６３】
また、出荷時に複素フィルタ１４の素子値の調整を行い、その結果の補正データをフラッシュメモリなどの不揮発性メモリに記憶し、通常の受信時には、不揮発性メモリに記憶された補正データを使用することにより、運用時の調整を省略することもできる。
【００６４】
また、出荷時のチップ選別として、複素フィルタ１４の素子値の調整は行わず、イメージ除去比（ＩＲＲ）の測定のみを行うことによって、直交ミキサ１１や複素フィルタ１４等の素子の製造バラつきにより、イメージ除去比（ＩＲＲ）が大幅に劣化したチップのみを除外することも可能である。
【００６５】
かくのごとき、出荷時における複素フィルタ１４の素子値の調整段階、出荷時における直交ミキサ１１や複素フィルタ１４等のチップ選別の段階においては、イメージ信号を含まない所望信号のみを低ＩＦ受信機の受信部１０１に入力することが可能である。したがって、イメージ信号を含まない所望信号のみを入力した場合には、前述の動作モード１および動作モード２にて検出される信号強度Ｐ１および信号強度Ｐ２は、それぞれ、次の式（５）、式（６）のように表される。
【００６６】
Ｐ１＝Ｐ＿ＳＩＧ                …式（５）
【００６７】
Ｐ２＝Ｐ＿ＳＩＧ／ＩＲＲ        …式（６）
【００６８】
このとき、式（５）および式（６）で表される信号強度Ｐ１、信号強度Ｐ２を用いて、演算処理部１６において算出されるイメージ除去比（ＩＲＲ）は、次の式（７）のように表される。
【００６９】
１／ＩＲＲ＝Ｐ２／Ｐ１          …式（７）
【００７０】
すなわち、イメージ信号が含まれない所望信号のみが入力されるような場合においては、動作モード３を省略し、動作モード１および動作モード２において検出された信号強度Ｐ１および信号強度Ｐ２のみを用いて、演算処理部１６にてイメージ除去比（ＩＲＲ）を算出することができる。
【００７１】
以上に説明したように、本第１の実施形態の構成によれば、所望信号に加えてイメージ信号が存在するような場合においても、模擬イメージ信号生成用の高周波信号源やＱ信号用の符号化器等の設置による消費電力の増加やチップ面積の増加を招くことなく、イメージ除去比の測定が可能となり、イメージ除去比の測定結果に基づき、直交ミキサを含めたＩ／Ｑミスマッチの較正を行うことによって、高いイメージ除去比を有する低ＩＦ型受信機を得ることができる。
【００７２】
（第２の実施形態）
次に、本発明に係る受信機の第２の実施形態の装置構成について、図１３を用いて説明する。図１３は、本発明に係る受信機の第２の実施形態の装置構成を示す構成図であり、低ＩＦ型の受信機の装置構成を示している。
【００７３】
図１３に示す低ＩＦ受信機は、受信部１０２の他に、図１の場合と同様、低ノイズ増幅器（ＬＮＡ：Low  Noise  Amplifier）１と、可変利得増幅器（ＶＧＡ：Variable  Gain  Amplifier）２と、符号化器（ＡＤＣ：Analog‐to‐Digital  Converter）３と、デジタル信号処理部４と、を少なくとも備えている。ここで、受信部１０２は、直交ミキサ１８と、局部発振器（ＬＯ：Local  Oscillator）１２と、信号経路切り替え部１３と、複素フィルタ１４と、信号強度検出部１５と、演算処理部１６と、素子値制御部１９と、を少なくとも含んで構成されている。
【００７４】
つまり、図１３に示す受信機の受信部１０２においては、図１に第１の実施形態として示した受信機の受信部１０１における直交ミキサ１１に代えて直交ミキサ１８を、また、素子値制御部１７に代えて素子値制御部１９をそれぞれ備え、素子値制御部１９から出力される素子値制御信号により、複素フィルタ１４ではなく、直交ミキサ１８の素子値を調整する構成となっている。
【００７５】
受信部１０２において、直交ミキサ１８は、Ｉミキサ１８１とＱミキサ１８２とからなり、ＲＦ帯の高周波信号を、局部発振器１２にて位相が互いに９０度ずれて生成される２つのローカル信号ＬＯ＿Ｉ、ＬＯ＿ＱによってＩＦ（中間周波数）帯に周波数変換して、ＩＦ帯の位相が互いに９０度ずれた直交復調信号ＩＦ＿Ｉ信号および直交復調信号ＩＦ＿Ｑ信号を生成する。
【００７６】
また、素子値制御部１９は、演算処理部１６で得られたイメージ除去比（ＩＲＲ）の演算結果を用いて、イメージ除去比（ＩＲＲ）が最大となるように、素子値制御信号を生成して、直交ミキサ１８に送信することにより、直交ミキサ１８の構成素子（Ｉミキサ１８１、Ｑミキサ１８２）の素子値を制御する。
【００７７】
なお、本第２の実施形態として図１３に示す受信機において、第１の実施形態として図１に示した受信機の各構成要素に付した符号と同一の符号を付したものは、図１に示した受信機と同一の機能を有するものであり、ここでは、重複する説明を省略する。
【００７８】
（第２の実施形態における受信機の動作の説明）
次に、図１３に示す低ＩＦ受信機の受信部１０２の動作についてさらに詳細に説明する。
【００７９】
図１３に示す低ＩＦ型の受信機においても、図１に示した低ＩＦ受信機における場合と同様に、所望信号およびイメージ信号を含んで入力されてくる高周波信号ＲＦは、低ノイズ増幅器（ＬＮＡ）１で増幅された後、受信部１０２に入力され、直交ミキサ１８において、中間周波数（ＩＦ）帯の位相が互いに９０度ずれた２つの直交復調信号ＩＦ＿Ｉおよび直交復調信号ＩＦ＿Ｑに周波数変換されて、信号経路切り替え部１３に出力される。
【００８０】
信号経路切り替え部１３は、演算処理部１６からの信号経路制御信号により制御され、第１の実施形態の場合と同様に、動作モード１から動作モード３まで、複素フィルタ１４への入力信号の切り替えを行い、動作モードの切り替えが行われる都度、複素フィルタ１４から出力される出力信号の信号強度が、動作モード１，２，３ごとの信号強度Ｐ１，Ｐ２，Ｐ３として、信号強度検出部１５において検出される。
【００８１】
演算処理部１６は、信号強度検出部１５にて検出された動作モード１，２，３それぞれの信号強度Ｐ１，Ｐ２，Ｐ３に基づいて、第１の実施形態にて前述した式（４）により、イメージ除去比（ＩＲＲ）を算出する。
【００８２】
演算処理部１６にて算出されたイメージ除去比（ＩＲＲ）は、素子値制御部１９に出力され、素子値制御部１９においては、イメージ除去比（ＩＲＲ）が最大となるように、素子値制御信号を生成して、直交ミキサ１８に送信することにより、直交ミキサ１８を構成する構成素子の素子値を制御する。
【００８３】
さらに、第１の実施形態の場合と同様に、信号経路切り替え部１３における信号経路の切り替えを繰り返すことにより、すなわち、受信機の動作モード１から動作モード３までの切り替え動作を繰り返すことにより、演算処理部１６において算出された式（４）の左辺の値が小さくなる、すなわち、イメージ除去比（ＩＲＲ）が大きくなるように、直交ミキサ１８の素子値を調整する。
【００８４】
直交ミキサ１８の素子値の調整を完了すると、第１の実施形態の場合と同様に、信号経路切り替え部１３は、第１の実施形態として図４に示した動作モード１の状態、すなわち、信号経路切り替え部１３におけるスイッチ１３２およびスイッチ１３３をオフ状態にするとともに、スイッチ１３１およびスイッチ１３４を接続状態に設定して、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路切り替え部１３における信号経路を選択し、通常の信号の受信動作を行う。
【００８５】
このとき、直交ミキサ１８は、前述したような素子値の調整が完了しているので、直交ミキサ１８および複素フィルタ１４におけるＩ／Ｑミスマッチを補償した状態になっており、結果として、高いイメージ除去比（ＩＲＲ）を有する低ＩＦ受信機として動作することができる。
【００８６】
なお、前述したようなＩ／Ｑミスマッチを補償するための調整は、例えば、受信機の起動時に１回だけ行い、そのときに得られた補正データを演算処理部１６に設けたメモリに保存しておき、２回目以降は該メモリに保存している補正データを使用することにより、２回目以降の調整を省略することができる。
【００８７】
また、出荷時に直交ミキサ１８の素子値の調整を行い、その結果の補正データをフラッシュメモリなどの不揮発性メモリに記憶し、通常の受信時には、不揮発性メモリに記憶された補正データを使用することにより、運用時の調整を省略することもできる。
【００８８】
また、出荷時のチップ選別として、直交ミキサ１８の素子値の調整は行わず、イメージ除去比（ＩＲＲ）の測定のみを行うことによって、直交ミキサ１８や複素フィルタ１４等の素子の製造バラつきにより、イメージ除去比（ＩＲＲ）が大幅に劣化したチップのみを除外することも可能である。
【００８９】
かくのごとき、出荷時における直交ミキサ１８の素子値の調整段階、出荷時における直交ミキサ１８や複素フィルタ１４のチップ選別段階においては、第１の実施形態の場合と同様、イメージ信号を含まない所望信号のみを低ＩＦ受信機の受信部１０２に入力することが可能である。したがって、イメージ信号を含まない所望信号のみを入力した場合には、第１の実施形態の場合と同様、動作モード３を省略し、動作モード１および動作モード２において検出された信号強度Ｐ１、信号強度Ｐ２のみを用いて、演算処理部１６にてイメージ除去比（ＩＲＲ）を算出することができる。
【００９０】
以上に説明したように、本第２の実施形態の構成であっても、第１の実施形態の場合と同様であり、所望信号に加えてイメージ信号が存在するような場合においても、模擬イメージ信号生成用の高周波信号源やＱ信号用の符号化器等の設置による消費電力の増加やチップ面積の増加を招くことなく、イメージ除去比の測定が可能となり、イメージ除去比の測定結果に基づき、直交ミキサを含めたＩ／Ｑミスマッチの較正を行うことによって、高いイメージ除去比を有する低ＩＦ型受信機を得ることができる。
【００９１】
（第３の実施形態）
次に、本発明に係る受信機の第３の実施形態の装置構成について、図１４を用いて説明する。図１４は、本発明に係る受信機の第３の実施形態の装置構成を示す構成図であり、低ＩＦ型の受信機の装置構成を示している。
【００９２】
図１４に示す低ＩＦ受信機は、受信部１０３の他に、図１の場合と同様、低ノイズ増幅器（ＬＮＡ：Low  Noise  Amplifier）１と、可変利得増幅器（ＶＧＡ：Variable  Gain  Amplifier）２と、符号化器（ＡＤＣ：Analog‐to‐Digital  Converter）３と、デジタル信号処理部４と、を少なくとも備えている。ここで、受信部１０３は、直交ミキサ１１と、局部発振器（ＬＯ：Local  Oscillator）１２と、信号経路切り替え部１３と、複素フィルタ１４と、信号強度検出部１５と、演算処理部１６と、位相調整部２０と、素子値制御部２１と、を少なくとも含んで構成されている。
【００９３】
つまり、図１４に示す受信機の受信部１０３においては、図１に第１の実施形態として示した受信機の受信部１０１における局部発振器１２の出力側に位相調整部２０をさらに備え、また、素子値制御部１７に代えて素子値制御部２１をそれぞれ備えることにより、素子値制御部２１から出力される素子値制御信号により、複素フィルタ１４ではなく、位相調整部２０を構成する構成素子の素子値を調整し、而して、直交ミキサ１１に入力されるローカル信号ＬＯ＿Ｉおよびローカル信号ＬＯ＿Ｑの位相を調整する構成となっている。
【００９４】
なお、本第３の実施形態として図１４に示す受信機において、第１の実施形態として図１に示した受信機の各構成要素に付した符号と同一の符号を付したものは、図１に示した受信機と同一の機能を有するものであり、ここでは、重複する説明を省略する。
【００９５】
（第３の実施形態における受信機の動作の説明）
次に、図１４に示す低ＩＦ受信機の受信部１０３の動作についてさらに詳細に説明する。
【００９６】
図１４に示す低ＩＦ型の受信機においても、図１に示した低ＩＦ受信機における場合と同様に、所望信号およびイメージ信号を含んで入力されてくる高周波信号ＲＦは、低ノイズ増幅器（ＬＮＡ）１で増幅された後、受信部１０３に入力され、直交ミキサ１１において、中間周波数（ＩＦ）帯の位相が互いに９０度ずれた２つの直交復調信号ＩＦ＿Ｉおよび直交復調信号ＩＦ＿Ｑに周波数変換されて、信号経路切り替え部１３に出力される。
【００９７】
信号経路切り替え部１３は、演算処理部１６からの信号経路制御信号により制御され、第１の実施形態の場合と同様に、動作モード１から動作モード３まで、複素フィルタ１４への入力信号の切り替えを行い、動作モードの切り替えが行われる都度、複素フィルタ１４から出力される出力信号の信号強度が、動作モード１，２，３ごとの信号強度Ｐ１，Ｐ２，Ｐ３として、信号強度検出部１５において検出される。
【００９８】
演算処理部１６は、信号強度検出部１５にて検出された動作モード１，２，３それぞれの信号強度Ｐ１，Ｐ２，Ｐ３に基づいて、第１の実施形態にて前述した式（４）により、イメージ除去比（ＩＲＲ）を算出する。
【００９９】
演算処理部１６にて算出されたイメージ除去比（ＩＲＲ）は、素子値制御部２１に出力され、素子値制御部２１においては、イメージ除去比（ＩＲＲ）が最大となるように、素子値制御信号を生成して、位相調整部２０に送信することにより、位相調整部２０を構成する構成素子の素子値を制御する。これにより、直交ミキサ１１に入力されるローカル信号ＬＯ＿Ｉおよびローカル信号ＬＯ＿Ｑの位相が調整される。
【０１００】
さらに、第１の実施形態の場合と同様に、信号経路切り替え部１３における信号経路の切り替えを繰り返すことにより、すなわち、受信機の動作モード１から動作モード３までの切り替え動作を繰り返すことにより、演算処理部１６において算出された式（４）の左辺の値が小さくなる、すなわち、イメージ除去比（ＩＲＲ）が大きくなるように、位相調整部２０の素子値を調整する。
【０１０１】
位相調整部２０の素子値の調整を完了すると、第１の実施形態の場合と同様に、信号経路切り替え部１３は、第１の実施形態として図４に示した動作モード１の状態、すなわち、信号経路切り替え部１３におけるスイッチ１３２およびスイッチ１３３をオフ状態にするとともに、スイッチ１３１およびスイッチ１３４を接続状態に設定して、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路切り替え部１３における信号経路を選択し、通常の信号の受信動作を行う。
【０１０２】
このとき、位相調整部２０は、前述したような素子値の調整が完了しているので、ローカル信号ＬＯ＿Ｉ，ＬＯ＿Ｑの位相ずれや直交ミキサ１１および複素フィルタ１４におけるＩ／Ｑミスマッチを補償した状態になっており、結果として、高いイメージ除去比（ＩＲＲ）を有する低ＩＦ受信機として動作することができる。
【０１０３】
なお、前述したようなＩ／Ｑミスマッチを補償するための調整は、例えば、受信機の起動時に１回だけ行い、そのときに得られた補正データを演算処理部１６に設けたメモリに保存しておき、２回目以降は該メモリに保存している補正データを使用することにより、２回目以降の調整を省略することができる。
【０１０４】
また、出荷時に位相調整部２０の素子値の調整を行い、その結果の補正データをフラッシュメモリなどの不揮発性メモリに記憶し、通常の受信時には、不揮発性メモリに記憶された補正データを使用することにより、運用時の調整を省略することもできる。
【０１０５】
また、出荷時のチップ選別として、位相調整部２０の素子値の調整は行わず、イメージ除去比（ＩＲＲ）の測定のみを行うことによって、位相調整部２０や直交ミキサ１８や複素フィルタ１４等の素子の製造バラつきにより、イメージ除去比（ＩＲＲ）が大幅に劣化したチップのみを除外することも可能である。
【０１０６】
かくのごとき、出荷時における位相調整部２０の素子値の調整段階、出荷時における位相調整部２０や直交ミキサ１８や複素フィルタ１４のチップ選別段階においては、第１の実施形態の場合と同様、イメージ信号を含まない所望信号のみを低ＩＦ受信機の受信部１０３に入力することが可能である。したがって、イメージ信号を含まない所望信号のみを入力した場合には、第１の実施形態の場合と同様、動作モード３を省略し、動作モード１および動作モード２において検出された信号強度Ｐ１、信号強度Ｐ２のみを用いて、演算処理部１６にてイメージ除去比（ＩＲＲ）を算出することができる。
【０１０７】
以上に説明したように、本第３の実施形態の構成であっても、第１の実施形態の場合と同様であり、所望信号に加えてイメージ信号が存在するような場合においても、模擬イメージ信号生成用の高周波信号源やＱ信号用の符号化器等の設置による消費電力の増加やチップ面積の増加を招くことなく、イメージ除去比の測定が可能となり、イメージ除去比の測定結果に基づき、直交ミキサを含めたＩ／Ｑミスマッチの較正を行うことによって、高いイメージ除去比を有する低ＩＦ型受信機を得ることができる。
【０１０８】
（第４の実施形態）
次に、本発明に係る受信機の第４の実施形態について、図１５を用いて説明する。なお、本第４の実施形態における受信機の装置構成は、第１の実施形態として図１に示した低ＩＦ型の受信機と全く同一の装置構成からなっており、本第４の実施形態における受信機の動作モードとして、第１の実施形態における動作モード３の代わりに、図１５に示すような信号経路を設定するための動作モード４を備えている。図１５は、図１の受信機の動作モード４における信号経路切り替え部１３の接続状態を第４の実施形態として説明する説明図である。
【０１０９】
（第４の実施形態における受信機の動作の説明）
次に、図１に示す低ＩＦ受信機の受信部１０１の第４の実施形態における動作について詳細に説明する。
【０１１０】
本第４の実施形態においても、第１の実施形態の場合と同様に、図１に示す低ＩＦ受信機において、所望信号およびイメージ信号を含んで入力されてくる高周波信号ＲＦは、低ノイズ増幅器（ＬＮＡ）１で増幅された後、受信部１０１に入力され、直交ミキサ１１において、中間周波数（ＩＦ）帯の位相が互いに９０度ずれた２つの直交復調信号ＩＦ＿Ｉおよび直交復調信号ＩＦ＿Ｑに周波数変換されて、信号経路切り替え部１３に出力される。
【０１１１】
信号経路切り替え部１３は、演算処理部１６からの信号経路制御信号により制御され、第１の実施形態の場合とは異なり、動作モード１から動作モード３までではなく、動作モード３の代わりに、動作モード４を用いる切り替え動作を行う。つまり、まず、動作モード１と動作モード２との２つの動作モードで、複素フィルタ１４への入力信号の切り替えを行い、動作モードの切り替えが行われる都度、複素フィルタ１４から出力される出力信号の信号強度が、第１の実施形態における式（１）、式（２）に示すように、動作モード１，２ごとの信号強度Ｐ１，Ｐ２として、信号強度検出部１５において検出される。
【０１１２】
しかる後、さらに、信号経路切り替え部１３において、図１５に示すように、スイッチ１３２およびスイッチ１３４をオフ状態にするとともに、スイッチ１３１およびスイッチ１３３を接続状態とし、直交ミキサ１１におけるＱミキサ１１２の出力である直交復調信号ＩＦ＿Ｑの複素フィルタ１４への入力を抑止して、直交ミキサ１１におけるＩミキサ１１１の出力である直交復調信号ＩＦ＿Ｉを、複素フィルタ１４におけるＩフィルタ１４１とＱフィルタ１４２との双方に入力するように、信号経路を選択する（以下、動作モード４と称する）。
【０１１３】
前述の動作モード４の場合においては、直交ミキサ１１の出力における所望信号およびイメージ信号の信号強度を、第１の実施形態の場合と同様、それぞれＰ＿ＳＩＧおよびＰ＿ＩＭとすると、複素フィルタ１４の周波数特性は、図１６に示すように、第１の実施形態の図５に示す動作モード１の場合の正側の周波数特性を−３ｄＢ減衰させたすなわち（１／２）倍にした特性を、さらに、ＤＣ（直流分の'０'）を中心にして対称な負側の位置にも反転させた特性となり、複素フィルタ１４の出力としては、所望信号およびイメージ信号のいずれも、（１／２）倍にされて、信号強度Ｐ＿ＳＩＧｂおよび信号強度Ｐ＿ＩＭｂとして出力される。ここに、図１６は、図１の受信機の動作モード４における複素フィルタ１４の周波数特性を示す特性図であり、複素フィルタ１４から出力される出力信号の信号強度とともに示している。
【０１１４】
つまり、複素フィルタ１４のＩフィルタ１４１から出力される出力信号においては、図１７に示すように、（１／２）倍に圧縮された所望信号の信号強度Ｐ＿ＳＩＧｂと（１／２）倍に圧縮されイメージ信号の信号強度Ｐ＿ＩＭｂとが、同一の周波数信号として足し合わされた信号強度Ｐ４として出力されることになり、動作モード４においては、信号強度検出部１５にて検出される信号強度Ｐ４は、次の式（８）のように表される。図１７は、図１の受信機の動作モード４において信号強度検出部１５にて検出される信号強度を説明するための説明図である。
【０１１５】
Ｐ４＝Ｐ＿ＳＩＧｂ＋Ｐ＿ＩＭｂ
＝（Ｐ＿ＳＩＧ＋Ｐ＿ＩＭ）／２            …式（８）
【０１１６】
なお、動作モード４においては、信号経路切り替え部１３において、図１５のスイッチング状態とは逆に、スイッチ１３１およびスイッチ１３３をオフ状態にとし、スイッチ１３２およびスイッチ１３４を接続状態として、直交ミキサ１１におけるＩミキサ１１１の出力である直交復調信号ＩＦ＿Ｉの複素フィルタ１４への入力を抑止して、直交ミキサ１１におけるＱミキサ１１２の出力である直交復調信号ＩＦ＿Ｑを、複素フィルタ１４におけるＩフィルタ１４１とＱフィルタ１４２との双方に入力するように、信号経路を選択する動作としても良い。
【０１１７】
以上のように、図１の受信機の動作モード１、動作モード２および動作モード４の３つの動作モードについて、信号経路切り替え部１３にて複素フィルタ１４への入力信号を切り替える都度、信号強度検出部１５にて、複素フィルタ１４から出力される出力信号の信号強度Ｐ１，Ｐ２，Ｐ４を検出することにより、演算処理部１６において、次の式（９）のように、イメージ除去比（ＩＲＲ）を算出することができる。
【０１１８】
１／ＩＲＲ＝（Ｐ１＋Ｐ２−２×Ｐ４）／（２×Ｐ４）          …式（９）
【０１１９】
演算処理部１６にて算出されたイメージ除去比（ＩＲＲ）は、素子値制御部１７に出力され、素子値制御部１７においては、イメージ除去比（ＩＲＲ）が最大となるように、素子値制御信号を生成して、複素フィルタ１４に送信することにより、複素フィルタ１４を構成する構成素子の素子値を制御する。
【０１２０】
さらに、信号経路切り替え部１３における信号経路の切り替えを繰り返すことにより、すなわち、受信機の動作モード１、動作モード２および動作モード４の切り替え動作を繰り返すことにより、演算処理部１６において算出された式（９）の左辺の値が小さくなる、すなわち、イメージ除去比（ＩＲＲ）が大きくなるように、複素フィルタ１４の素子値を調整する。
【０１２１】
複素フィルタ１４の素子値の調整を完了すると、第１の実施形態の場合と同様に、信号経路切り替え部１３は、第１の実施形態として図４に示した動作モード１の状態、すなわち、信号経路切り替え部１３におけるスイッチ１３２およびスイッチ１３３をオフ状態にするとともに、スイッチ１３１およびスイッチ１３４を接続状態に設定して、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路切り替え部１３における信号経路を選択し、通常の信号の受信動作を行う。
【０１２２】
このとき、複素フィルタ１４は、前述したような素子値の調整が完了しているので、直交ミキサ１１および複素フィルタ１４におけるＩ／Ｑミスマッチを補償した状態になっており、結果として、高いイメージ除去比（ＩＲＲ）を有する低ＩＦ受信機として動作することができる。
【０１２３】
なお、前述したようなＩ／Ｑミスマッチを補償するための調整は、例えば、受信機の起動時に１回だけ行い、そのときに得られた補正データを演算処理部１６に設けたメモリに保存しておき、２回目以降は該メモリに保存している補正データを使用することにより、２回目以降の調整を省略することができる。
【０１２４】
また、出荷時に複素フィルタ１４の素子値の調整を行い、その結果の補正データをフラッシュメモリなどの不揮発性メモリに記憶し、通常の受信時には、不揮発性メモリに記憶された補正データを使用することにより、運用時の調整を省略することもできる。
【０１２５】
また、出荷時のチップ選別として、複素フィルタ１４の素子値の調整は行わず、イメージ除去比（ＩＲＲ）の測定のみを行うことによって、直交ミキサ１８や複素フィルタ１４等の素子の製造バラつきにより、イメージ除去比（ＩＲＲ）が大幅に劣化したチップのみを除外することも可能である。
【０１２６】
かくのごとき、出荷時における複素フィルタ１４の素子値の調整段階、出荷時における直交ミキサ１８や複素フィルタ１４のチップ選別段階においては、第１の実施形態の場合と同様、イメージ信号を含まない所望信号のみを低ＩＦ受信機の受信部１０１に入力することが可能である。したがって、イメージ信号を含まない所望信号のみを入力した場合には、動作モード４を省略し、第１の実施形態の場合と同様、動作モード１および動作モード２において検出された信号強度Ｐ１、信号強度Ｐ２のみを用いて、演算処理部１６にてイメージ除去比（ＩＲＲ）を算出することができる。
【０１２７】
なお、本第４の実施形態においては、第１の実施形態の場合と同様に、複素フィルタ１４の素子値を調整する構成としたが、第２の実施形態の場合と同様に、図１の直交ミキサ１１の代わりに図１３に示す直交ミキサ１８を用いて、該直交ミキサ１８の素子値を調整する構成としても良いし、あるいは、第３の実施形態の場合と同様に、局部発振器１２の後段に位相調整部２０をさらに配置し、該位相調整部２０の素子値を調整する構成としても良い。
【０１２８】
以上に説明したように、本第４の実施形態の構成であっても、第１の実施形態の場合と同様であり、所望信号に加えてイメージ信号が存在するような場合においても、模擬イメージ信号生成用の高周波信号源やＱ信号用の符号化器等の設置による消費電力の増加やチップ面積の増加を招くことなく、イメージ除去比の測定が可能となり、イメージ除去比の測定結果に基づき、直交ミキサを含めたＩ／Ｑミスマッチの較正を行うことによって、高いイメージ除去比を有する低ＩＦ型受信機を得ることができる。
【０１２９】
（第５の実施形態）
次に、本発明に係る受信機の第５の実施形態の装置構成について、図１８を用いて説明する。図１８は、本発明に係る受信機の第５の実施形態の装置構成を示す構成図であり、低ＩＦ型の受信機の装置構成を示している。
【０１３０】
図１８に示す低ＩＦ受信機は、受信部１０５の他に、図１の場合と同様、低ノイズ増幅器（ＬＮＡ：Low  Noise  Amplifier）１と、可変利得増幅器（ＶＧＡ：Variable  Gain  Amplifier）２と、符号化器（ＡＤＣ：Analog‐to‐Digital  Converter）３と、を少なくとも備え、さらに、デジタル信号処理部４の代わりに、デジタル信号処理部５を備えている。ここで、受信部１０５は、直交ミキサ１１と、局部発振器（ＬＯ：Local  Oscillator）１２と、信号経路切り替え部１３と、複素フィルタ１４と、を少なくとも含んで構成され、また、デジタル信号処理部５は、信号強度検出部２２と、演算処理部１６と、素子値制御部１７と、を少なくとも含んで構成されている。
【０１３１】
つまり、図１８に示す受信機の受信部１０５においては、図１に第１の実施形態として示した受信機の受信部１０１から、信号強度検出部１５と演算処理部１６と素子値制御部１７とを削除する代わりに、符号化器３の後段に配置されているデジタル信号処理部５側に信号強度検出部２２と演算処理部１６と素子値制御部１７とを追加して備える構成としており、複素フィルタ１４から出力される出力信号を可変利得増幅器２にて増幅した後、さらに、符号化器３によってデジタル信号に変換した後で、デジタル変換された該出力信号の信号強度を、信号強度検出部２２によって検出する構成となっている。
【０１３２】
受信部１０５において、複素フィルタ１４は、Ｉフィルタ１４１およびＱフィルタ１４２により構成されており、所望の実信号を通過させ、イメージ信号の除去割合としてあらかじめ設定されているイメージ除去比（ＩＲＲ）だけイメージ信号を減衰させて、Ｉフィルタ１４１の出力信号を、受信部１０５の後段に位置する可変利得増幅器２に出力する。
【０１３３】
可変利得増幅器２は、受信部１０５の複素フィルタ１４から入力された信号を適正な振幅に増幅して、次段の符号化器３に出力し、符号化器３は、入力されたアナログ信号をデジタル信号に変換して、デジタル信号処理部５に対して出力する。
【０１３４】
デジタル信号処理部５においては、デジタル変換されて入力されてくる複素フィルタ１４からの出力信号の信号強度を、信号強度検出部２２にて検出して、検出された信号強度情報を、演算処理部１６に送る。
【０１３５】
演算処理部１６は、信号経路制御信号を出力することにより信号経路切り替え部１３における直交ミキサ１１と複素フィルタ１４の間の信号経路の切り替え制御を行うとともに、該信号経路を切り替える都度信号強度検出部２２によって検出される各信号強度情報から、低ＩＦ受信機の受信部１０５におけるイメージ除去比（ＩＲＲ）の演算を行い、該演算結果を、素子値制御部１７に出力する。
【０１３６】
素子値制御部１７は、演算処理部１６で得られたイメージ除去比（ＩＲＲ）の演算結果を用いて、イメージ除去比（ＩＲＲ）が最大となるように、素子値制御信号を生成して、複素フィルタ１４に送信することにより、複素フィルタ１４を構成する構成素子の素子値を制御する。
【０１３７】
なお、本第５の実施形態として図１８に示す受信機において、第１の実施形態として図１に示した受信機の各構成要素に付した符号と同一の符号を付したものは、図１に示した受信機と同一の機能を有するものであり、ここでは、重複する説明を省略する。
【０１３８】
（第５の実施形態における受信機の動作の説明）
次に、図１８に示す低ＩＦ受信機の動作についてさらに詳細に説明する。
【０１３９】
図１８に示す低ＩＦ型の受信機においても、図１に示した低ＩＦ受信機における場合と同様に、所望信号およびイメージ信号を含んで入力されてくる高周波信号ＲＦは、低ノイズ増幅器（ＬＮＡ）１で増幅された後、受信部１０５に入力され、直交ミキサ１１において、中間周波数（ＩＦ）帯の位相が互いに９０度ずれた２つの直交復調信号ＩＦ＿Ｉおよび直交復調信号ＩＦ＿Ｑに周波数変換されて、信号経路切り替え部１３に出力される。
【０１４０】
信号経路切り替え部１３は、演算処理部１６からの信号経路制御信号により制御され、第１の実施形態の場合と同様に、動作モード１から動作モード３まで、複素フィルタ１４への入力信号の切り替えを行い、動作モードの切り替えが行われる都度、複素フィルタ１４から出力されて、可変利得増幅器２、符号化器３を介して、デジタル信号処理部５に入力されてくる複素フィルタ１４の出力信号の信号強度を、動作モード１，２，３ごとの信号強度Ｐ１，Ｐ２，Ｐ３として、信号強度検出部２２において検出する。
【０１４１】
演算処理部１６は、信号強度検出部２２にて検出された動作モード１，２，３それぞれの信号強度Ｐ１，Ｐ２，Ｐ３に基づいて、第１の実施形態にて前述した式（４）により、イメージ除去比（ＩＲＲ）を算出する。
【０１４２】
演算処理部１６にて算出されたイメージ除去比（ＩＲＲ）は、素子値制御部１７に出力され、素子値制御部１７においては、イメージ除去比（ＩＲＲ）が最大となるように、素子値制御信号を生成して、複素フィルタ１４に送信することにより、複素フィルタ１４を構成する構成素子の素子値を制御する。
【０１４３】
さらに、第１の実施形態の場合と同様に、信号経路切り替え部１３における信号経路の切り替えを繰り返すことにより、すなわち、受信機の動作モード１から動作モード３までの切り替え動作を繰り返すことにより、演算処理部１６において算出された式（４）の左辺の値が小さくなる、すなわち、イメージ除去比（ＩＲＲ）が大きくなるように、複素フィルタ１４の素子値を調整する。
【０１４４】
複素フィルタ１４の素子値の調整を完了すると、第１の実施形態の場合と同様に、信号経路切り替え部１３は、第１の実施形態として図４に示した動作モード１の状態、すなわち、信号経路切り替え部１３におけるスイッチ１３２およびスイッチ１３３をオフ状態にするとともに、スイッチ１３１およびスイッチ１３４を接続状態に設定して、直交ミキサ１１におけるＩミキサ１１１の出力である直交復調信号ＩＦ＿ＩおよびＱミキサ１１２の出力である直交復調信号ＩＦ＿Ｑを、それぞれ、複素フィルタ１４におけるＩフィルタ１４１およびＱフィルタ１４２に入力するように、信号経路切り替え部１３における信号経路を選択し、通常の信号の受信動作を行う。
【０１４５】
このとき、複素フィルタ１４は、前述したような素子値の調整が完了しているので、直交ミキサ１１および複素フィルタ１４におけるＩ／Ｑミスマッチを補償した状態になっており、結果として、高いイメージ除去比（ＩＲＲ）を有する低ＩＦ受信機として動作することができる。
【０１４６】
なお、前述したようなＩ／Ｑミスマッチを補償するための調整は、例えば、受信機の起動時に１回だけ行い、そのときに得られた補正データを演算処理部１６に設けたメモリに保存しておき、２回目以降は該メモリに保存している補正データを使用することにより、２回目以降の調整を省略することができる。
【０１４７】
また、出荷時に複素フィルタ１４の素子値の調整を行い、その結果の補正データをフラッシュメモリなどの不揮発性メモリに記憶し、通常の受信時には、不揮発性メモリに記憶された補正データを使用することにより、運用時の調整を省略することもできる。
【０１４８】
また、出荷時のチップ選別として、複素フィルタ１４の素子値の調整は行わず、イメージ除去比（ＩＲＲ）の測定のみを行うことによって、直交ミキサ１８や複素フィルタ１４等の素子の製造バラつきにより、イメージ除去比（ＩＲＲ）が大幅に劣化したチップのみを除外することも可能である。
【０１４９】
かくのごとき、出荷時における複素フィルタ１４の素子値の調整段階、出荷時における直交ミキサ１８や複素フィルタ１４のチップ選別段階においては、第１の実施形態の場合と同様、イメージ信号を含まない所望信号のみを低ＩＦ受信機の受信部１０５に入力することが可能である。したがって、イメージ信号を含まない所望信号のみを入力した場合には、第１の実施形態の場合と同様、動作モード３を省略し、動作モード１および動作モード２において検出された信号強度Ｐ１、信号強度Ｐ２のみを用いて、演算処理部１６にてイメージ除去比（ＩＲＲ）を算出することができる。
【０１５０】
なお、本第５の実施形態においては、第１の実施形態の場合と同様に、複素フィルタ１４の素子値を調整する構成としたが、第２の実施形態の場合と同様に、図１の直交ミキサ１１の代わりに図１３に示す直交ミキサ１８を用いて、該直交ミキサ１８の素子値を調整する構成としても良いし、あるいは、第３の実施形態の場合と同様に、局部発振器１２の後段に位相調整部２０をさらに配置し、該位相調整部２０の素子値を調整する構成としても良い。また、第４の実施形態の場合と同様に、動作モード３の代わりに、動作モード４を用いて、信号経路切り替え部１３を制御するような構成としても良い。
【０１５１】
以上に説明したように、本第５の実施形態の構成であっても、第１の実施形態の場合と同様であり、所望信号に加えてイメージ信号が存在するような場合においても、模擬イメージ信号生成用の高周波信号源やＱ信号用の符号化器等の設置による消費電力の増加やチップ面積の増加を招くことなく、イメージ除去比の測定が可能となり、イメージ除去比の測定結果に基づき、直交ミキサを含めたＩ／Ｑミスマッチの較正を行うことによって、高いイメージ除去比を有する低ＩＦ型受信機を得ることができる。
【０１５２】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
（２）直交関係にあるあらかじめ定めた周波数の第１および第２のローカル信号を出力する局部発振器をさらに有し、前記直交ミキサは、受信した前記高周波信号を、前記局部発振器から出力される前記第１および第２のローカル信号によってダウンコンバートすることにより、前記第１および第２の直交復調信号として出力し、前記複素フィルタは、第１および第２のフィルタからなり、前記第１および第２のフィルタのいずれも、前記直交ミキサが出力する前記第１および第２の直交復調信号のいずれか一方または双方の信号を入力することができる上記（１）の受信機。
（３）前記信号経路切り替え部は、前記第１の直交復調信号を入力する第１の入力端子と、前記第２の直交復調信号を入力する第２の入力端子と、前記複素フィルタの前記第１のフィルタへ信号を出力する第１の出力端子と、前記複素フィルタの前記第２のフィルタへ信号を出力する第２の出力端子と、第１ないし第４のスイッチと、を有し、前記第１のスイッチは、前記第１の入力端子と前記第１の出力端子とを接続するか否かを選択し、前記第２のスイッチは、前記第２の入力端子と前記第１の出力端子とを接続するか否かを選択し、前記第３のスイッチは、前記第１の入力端子と前記第２の出力端子とを接続するかを選択し、前記第４のスイッチは、前記第２の入力端子と前記第２の出力端子とを接続するか否かを選択する上記（２）の受信機。
（４）前記複素フィルタの出力信号の信号強度を検出する信号強度検出部をさらに備え、前記信号強度検出部は、前記複素フィルタを構成する前記第１および第２のフィルタの少なくとも一方からの出力信号を入力することにより、前記複素フィルタの出力信号の信号強度を検出する上記（３）の受信機。
（５）前記信号強度検出部において検出された前記信号強度に基づいて、あらかじめ定めた演算を行う演算処理部をさらに有し、前記演算処理部は、前記信号強度に基づく演算を終了する都度、信号経路制御信号を出力することにより前記信号経路切り替え部における前記第１ないし第４のスイッチのオン・オフを切り替えて、前記直交ミキサと前記複素フィルタとの間の信号経路の切り替え制御を行う上記（４）の受信機。
（６）前記演算処理部は、第１の動作モードとして、前記信号経路制御信号により前記信号経路切り替え部における前記第１のスイッチと前記第４のスイッチとをオンし、前記第２のスイッチと前記第３のスイッチとをオフした状態において前記信号強度検出部にて前記信号強度として検出された第１の信号強度と、第２の動作モードとして、前記信号経路制御信号により前記信号経路切り替え部における前記第２のスイッチと前記第３のスイッチとをオンし、前記第１のスイッチと前記第４のスイッチとをオフにした状態において前記信号強度検出部にて前記信号強度として検出された第２の信号強度と、を取得し、取得した前記第１および第２の信号強度に基づいて、前記所望の実信号に対する前記イメージ信号を抑圧するイメージ除去比を算出する、あるいは、第３の動作モードとして、前記信号経路制御信号により前記信号経路切り替え部における前記第１ないし第４のスイッチすべてをオンした状態において前記信号強度検出部にて前記信号強度として検出された第３の信号強度を、さらに取得し、取得した前記第１、第２、第３の信号強度に基づいて、前記所望の実信号に対する前記イメージ信号を抑圧するイメージ除去比を算出する、あるいは、第４の動作モードとして、前記信号経路制御信号により前記信号経路切り替え部における前記第１のスイッチと前記第３のスイッチとをオンまたはオフし、前記第２のスイッチと前記第４のスイッチとをオフまたはオンした状態において前記信号強度検出部にて前記信号強度として検出された第４の信号強度を、さらに取得し、取得した前記第１、第２、第４の信号強度に基づいて、前記所望の実信号に対する前記イメージ信号を抑圧するイメージ除去比を算出する上記（５）の受信機。
（７）前記複素フィルタを構成する構成素子の素子値を制御する素子値制御部をさらに備え、前記素子値制御部は、前記信号強度検出部にて検出された前記第１、第２の信号強度または前記第１、第２、第３の信号強度または前記第１、第２、第４の信号強度のいずれかに基づいて前記演算処理部にて算出された前記イメージ信号を抑圧するイメージ除去比が最大になるように、前記複素フィルタまたは前記直交ミキサまたは前記位相調整部のいずれかを構成する構成素子の素子値を制御する上記（６）の受信機。
（８）前記演算処理部にて算出された前記イメージ信号を抑圧するイメージ除去比、または、該イメージ除去比が最大になる前記複素ミキサまたは前記直交ミキサまたは前記位相調整部のいずれかを構成する構成素子の素子値として前記素子値制御部にて取得された素子値を、補正データとしてメモリに保存し、前記イメージ信号を抑圧するための以降の調整時には、前記メモリに保存されている前記補正データを用いて調整を行う上記（７）の受信機。
（９）前記複素フィルタを構成する前記第１のフィルタは、前記第１の入力端子から入力される信号電圧を信号電流に変換する第１の電圧電流変換器と、該第１の電圧電流変換器にて変換された前記信号電流を入力する第１のコンデンサと第３の電圧電流変換器と、を備え、前記第２のフィルタは、前記第２の入力端子から入力される信号電圧を信号電流に変換する第２の電圧電流変換器と、該第２の電圧電流変換器にて変換された前記信号電流を入力する第２のコンデンサと第４の電圧電流変換器と、を備え、前記第３の電圧電流変換器からの出力側は、前記第２の電圧電流変換器の出力側と接続されるとともに、前記第２の出力端子に接続され、前記第４の電圧電流変換器からの出力側は、前記第１の電圧電流変換器の出力側と接続されるとともに、前記第１の出力端子に接続される上記（３）ないし上記（８）のいずれかの受信機。
（１０）受信した高周波信号から直交関係にある第１および第２の直交復調信号を出力する直交ミキサと、前記直交ミキサから出力される前記第１および第２の直交復調信号のうち、所望の実信号を通過させ、該所望の実信号に対するイメージ信号を抑圧する複素フィルタと、前記直交ミキサから出力される前記第１および第２の直交復調信号を前記複素フィルタへ入力する信号経路を切り替える信号経路切り替え部と、を少なくとも備えた受信機におけるイメージ除去比測定方法であって、前記イメージ信号を抑圧する最適のイメージ除去比を算出する際に、前記信号経路切り替え部により、前記直交ミキサと前記複素フィルタとの間の信号経路を適宜切り替えて、それぞれの信号経路において前記複素フィルタから出力される信号強度を検出することにより、前記イメージ信号を抑圧するイメージ除去比を算出するイメージ除去比測定方法。
【０１５３】
以上、実施の形態を参照して本願発明を説明したが、本願発明は上記によって限定されるものではない。本願発明の構成や詳細には、発明のスコープ内で当業者が理解し得る様々な変更をすることができる。
【０１５４】
この出願は、２００９年１２月２１日に出願された日本出願特願２００９−２８９２４６を基礎とする優先権を主張し、その開示の全てをここに取り込む。
【符号の説明】
【０１５５】
１        低ノイズ増幅器（ＬＮＡ：Low  Noise  Amplifier）
２      可変利得増幅器（ＶＧＡ：Variable  Gain  Amplifier）
３      符号化器（ＡＤＣ：Analog‐to‐Digital  Converter）
４      デジタル信号処理部
５      デジタル信号処理部
１１      直交ミキサ
１２      局部発振器（ＬＯ：Local  Oscillator）
１３      信号経路切り替え部
１４      複素フィルタ
１５      信号強度検出部
１６      演算処理部
１７      素子値制御部
１８      直交ミキサ
１９      素子値制御部
２０      位相調整部
２１      素子値制御部
２２      信号強度検出部
２５      直交ミキサ
２６      局部発振器（ＬＯ：Local  Oscillator）
２７      複素フィルタ
３１      低ノイズ増幅器
３２      直交ミキサ
３３ａ    可変利得増幅器
３３ｂ    可変利得増幅器
３４      複素フィルタ
３５      振幅検出部
３６      フィルタ制御部
３７      模擬イメージ信号生成部
３８      信号切り替え部
４１      直交ミキサ
４１ａ    スイッチ
４２ａ    可変利得増幅器
４２ｂ    可変利得増幅器
４３ａ    符号化器
４３ｂ    符号化器
４４      フィルタミスマッチ校正回路
４５      イメージ除去回路
４６      校正制御回路
４７      校正信号源
４８      フィルタミスマッチ検出回路
４９      タップ計数算出回路
５１      低ノイズ増幅器
５２ａ    乗算器
５２ｂ    乗算器
５３      フェーズロックド発振器
５４ａ    ローパスフィルタ
５４ｂ    ローパスフィルタ
５５      経路切り替え回路
５６      位相調整回路
５７ａ    イメージ抑圧回路
５７ｂ    イメージ抑圧回路
５８ａ    符号化器
５８ｂ    符号化器
５９      デジタル信号処理回路
１０１    受信部
１０２    受信部
１０３    受信部
１０５    受信部
１１１    Ｉミキサ
１１２    Ｑミキサ
１３１    スイッチ
１３２    スイッチ
１３３    スイッチ
１３４    スイッチ
１４１    Ｉフィルタ
１４２    Ｑフィルタ
１４３ａ  電圧電流変換器
１４３ｂ  電圧電流変換器
１４４ａ  電圧電流変換器
１４４ｂ  電圧電流変換器
１４５ａ  コンデンサ
１４５ｂ  コンデンサ
１８１    Ｉミキサ
１８２    Ｑミキサ
２５１    Ｉミキサ
２５２    Ｑミキサ
２７１    Ｉフィルタ
２７２    Ｑフィルタ
３４１ａ  Ｉフィルタ
３４１ｂ  Ｑフィルタ
３４２    素子値制御部
ＩＦ＿Ｉ  直交復調信号
ＩＦ＿Ｑ  直交復調信号
ＬＯ＿Ｉ  ローカル信号
ＬＯ＿Ｑ  ローカル信号
【図１】
2011077618.tif 000003
【図２】
2011077618.tif 000004
【図３】
2011077618.tif 000005
【図４】
2011077618.tif 000006
【図５】
2011077618.tif 000007
【図６】
2011077618.tif 000008
【図７】
2011077618.tif 000009
【図８】
2011077618.tif 000010
【図９】
2011077618.tif 000011
【図１０】
2011077618.tif 000012
【図１１】
2011077618.tif 000013
【図１２】
2011077618.tif 000014
【図１３】
2011077618.tif 000015
【図１４】
2011077618.tif 000016
【図１５】
2011077618.tif 000017
【図１６】
2011077618.tif 000018
【図１７】
2011077618.tif 000019
【図１８】
2011077618.tif 000020
【図１９】
2011077618.tif 000021
【図２０】
2011077618.tif 000022
【図２１】
2011077618.tif 000023
【図２２】
2011077618.tif 000024
【図２３】
2011077618.tif 000025
【手続補正書】
【提出日】平成24年7月13日(2012.7.13)
【手続補正１】
【補正対象書類名】特許請求の範囲
【補正対象項目名】全文
【補正方法】変更
【補正の内容】
【特許請求の範囲】
【請求項１】
受信した高周波信号から直交関係にある第１および第２の直交復調信号を出力する直交ミキサと、前記直交ミキサから出力される前記第１および第２の直交復調信号のうち、所望の実信号を通過させ、該所望の実信号に対するイメージ信号を抑圧する複素フィルタと、を少なくとも備えた受信機であって、
前記直交ミキサから出力される前記第１および第２の直交復調信号を前記複素フィルタへ入力する信号経路を切り替える信号経路切り替え手段と、
直交関係にあるあらかじめ定めた周波数の第１および第２のローカル信号を出力する局部発振器と、を備え、
前記直交ミキサは、受信した前記高周波信号を、前記局部発振器から出力される前記第１および第２のローカル信号によってダウンコンバートすることにより、前記第１および第２の直交復調信号として出力し、
前記複素フィルタは、第１および第２のフィルタからなり、前記第１および前記第２の直交復調信号の双方が、前記第１および前記第２のフィルタの双方に同時に入力される、または、前記第１および前記第２の直交復調信号の少なくとも一方が、前記第１および前記第２のフィルタの双方に同時に入力されることを特徴とする受信機。
【請求項２】
前記信号経路切り替え手段は、前記第１の直交復調信号を入力する第１の入力端子と、前記第２の直交復調信号を入力する第２の入力端子と、前記複素フィルタの前記第１のフィルタへ信号を出力する第１の出力端子と、前記複素フィルタの前記第２のフィルタへ信号を出力する第２の出力端子と、第１ないし第４のスイッチと、を有し、前記第１のスイッチは、前記第１の入力端子と前記第１の出力端子とを接続するか否かを選択し、前記第２のスイッチは、前記第２の入力端子と前記第１の出力端子とを接続するか否かを選択し、前記第３のスイッチは、前記第１の入力端子と前記第２の出力端子とを接続するかを選択し、前記第４のスイッチは、前記第２の入力端子と前記第２の出力端子とを接続するか否かを選択することを特徴とする請求項１に記載の受信機。
【請求項３】
前記複素フィルタの出力信号の信号強度を検出する信号強度検出手段をさらに備え、前記信号強度検出手段は、前記複素フィルタを構成する前記第１および第２のフィルタの少なくとも一方からの出力信号を入力することにより、前記複素フィルタの出力信号の信号強度を検出することを特徴とする請求項２に記載の受信機。
【請求項４】
前記信号強度検出手段において検出された前記信号強度に基づいて、あらかじめ定めた演算を行う演算処理手段をさらに有し、前記演算処理手段は、前記信号強度に基づく演算を終了する都度、信号経路制御信号を出力することにより前記信号経路切り替え手段における前記第１ないし第４のスイッチのオン・オフを切り替えて、前記直交ミキサと前記複素フィルタとの間の信号経路の切り替え制御を行うことを特徴とする請求項３に記載の受信機。
【請求項５】
前記演算処理手段は、第１の動作モードとして、前記信号経路制御信号により前記信号経路切り替え手段における前記第１のスイッチと前記第４のスイッチとをオンし、前記第２のスイッチと前記第３のスイッチとをオフした状態において前記信号強度検出手段にて前記信号強度として検出された第１の信号強度と、第２の動作モードとして、前記信号経路制御信号により前記信号経路切り替え手段における前記第２のスイッチと前記第３のスイッチとをオンし、前記第１のスイッチと前記第４のスイッチとをオフにした状態において前記信号強度検出手段にて前記信号強度として検出された第２の信号強度と、を取得し、取得した前記第１および第２の信号強度に基づいて、前記所望の実信号に対する前記イメージ信号を抑圧するイメージ除去比を算出する、あるいは、第３の動作モードとして、前記信号経路制御信号により前記信号経路切り替え手段における前記第１ないし第４のスイッチすべてをオンした状態において前記信号強度検出手段にて前記信号強度として検出された第３の信号強度を、さらに取得し、取得した前記第１、第２、第３の信号強度に基づいて、前記所望の実信号に対する前記イメージ信号を抑圧するイメージ除去比を算出する、あるいは、第４の動作モードとして、前記信号経路制御信号により前記信号経路切り替え手段における前記第１のスイッチと前記第３のスイッチとをオンまたはオフし、前記第２のスイッチと前記第４のスイッチとをオフまたはオンした状態において前記信号強度検出手段にて前記信号強度として検出された第４の信号強度を、さらに取得し、取得した前記第１、第２、第４の信号強度に基づいて、前記所望の実信号に対する前記イメージ信号を抑圧するイメージ除去比を算出することを特徴とする請求項４に記載の受信機。
【請求項６】
前記複素フィルタを構成する構成素子の素子値を制御する素子値制御手段をさらに備え、前記素子値制御手段は、前記信号強度検出手段にて検出された前記第１、第２の信号強度または前記第１、第２、第３の信号強度または前記第１、第２、第４の信号強度のいずれかに基づいて前記演算処理手段にて算出された前記イメージ信号を抑圧するイメージ除去比が最大になるように、前記複素フィルタまたは前記直交ミキサまたは前記位相調整手段のいずれかを構成する構成素子の素子値を制御することを特徴とする請求項５に記載の受信機。
【請求項７】
前記演算処理手段にて算出された前記イメージ信号を抑圧するイメージ除去比、または、該イメージ除去比が最大になる前記複素ミキサまたは前記直交ミキサまたは前記位相調整手段のいずれかを構成する構成素子の素子値として前記素子値制御手段にて取得された素子値を、補正データとしてメモリに保存し、前記イメージ信号を抑圧するための以降の調整時には、前記メモリに保存されている前記補正データを用いて調整を行うことを特徴とする請求項６に記載の受信機。
【請求項８】
前記複素フィルタを構成する前記第１のフィルタは、前記第１の入力端子から入力される信号電圧を信号電流に変換する第１の電圧電流変換器と、該第１の電圧電流変換器にて変換された前記信号電流を入力する第１のコンデンサと第３の電圧電流変換器と、を備え、前記第２のフィルタは、前記第２の入力端子から入力される信号電圧を信号電流に変換する第２の電圧電流変換器と、該第２の電圧電流変換器にて変換された前記信号電流を入力する第２のコンデンサと第４の電圧電流変換器と、を備え、前記第３の電圧電流変換器からの出力側は、前記第２の電圧電流変換器の出力側と接続されるとともに、前記第２の出力端子に接続され、前記第４の電圧電流変換器からの出力側は、前記第１の電圧電流変換器の出力側と接続されるとともに、前記第１の出力端子に接続されることを特徴とする請求項２ないし請求項７のいずれかに記載の受信機。
【請求項９】
受信した高周波信号から直交関係にある第１および第２の直交復調信号を出力する直交ミキサと、前記直交ミキサから出力される前記第１および前記第２の直交復調信号のうち、所望の実信号を通過させ、前記実信号に対するイメージ信号を抑圧して出力する、第１および第２のフィルタからなる複素フィルタと、前記直交ミキサから出力される前記第１および前記第２の直交復調信号を前記複素フィルタへ入力する信号経路を切り替える信号経路切り替え手段と、を少なくとも備えた受信機におけるイメージ除去比測定方法であって、
前記第１および前記第２の直交復調信号を、それぞれ前記第１および前記第２のフィルタに入力して前記実信号を通過させ、前記イメージ信号を抑圧して出力し、出力される第１の信号の強度を検出する第１のステップと、
前記第１および前記第２の直交復調信号を、それぞれ前記第２および前記第１のフィルタに入力して前記イメージ信号を通過させ、前記実信号を抑圧して出力し、出力される第２の信号の強度を検出する第２のステップと、
前記第１および前記第２の直交復調信号の双方を、前記第１および前記第２のフィルタに同時に入力して前記実信号と前記イメージ信号の双方を通過させて出力し、出力される第３の信号の強度を検出する第３のステップ、または、
前記第１および前記第２の直交復調信号のいずれか一方のみを、前記第１および前記第２のフィルタの双方に入力し
て前記実信号と前記イメージ信号の双方を通過させて出力し、出力される第４の信号の強度を検出する第４のステップ、とを備え、
前記第１、第２および第３、または前記第１、第２および第４のステップで検出された信号強度に基づいて、あらかじめ定めた演算を行ってイメージ除去比を算出する第５のステップと、を有することを特徴とする、イメージ除去比測定方法。
【国際調査報告】
2011077618.tif 000026
2011077618.tif 000027
2011077618.tif 000028
2011077618.tif 000029